(57)【要約】      （修正有）【課題】効率的に掃除をおこなうことが出来る塵取り枠とゴミ袋を結合させた掃除器具を提供する。【解決手段】塵取り枠２，３，４，５を、木材又は金属その他の材料にて、内側が空間になる様箱形に組み合わせて製作する。前記枠の下部１は上部４と左、右の各部２，３よりも平面的な形状で突出し、上部と左、右の各部よりも平面的な形状で突出しその先端に斜めに角度をつけて成形する。前記の上部と左部・右部と突出している先端の下部の枠体に、それぞれに貫通部５を設け、両端から狭く細長く貫通している空間を作り、その部部へポリ・袋類を入れ狭く細長い部分へ挟むように、ずれ落ちないように固定する。【選択図】図１
0003154016.tif 000002
【実用新案登録請求の範囲】
【請求項１】
塵取りの先端を特徴としてなる、塵取り枠の装置
【請求項２】
枠の内側に物を入れる、ポリ袋類を設置する、ことを特徴とする装置。
【請求項３】
塵取りの先端を含め、それぞれの枠にポリ袋類がずれ落ちないよう貫通部分が有り、そこの空間へポリ袋類の１部を挟むようにして固定をすることを特徴とする装置。
【考案の詳細な説明】
【考案の詳細な説明】
【技術分野】
【０００１】本考案は、掃除又は、物の移動に関する。
【背景技術】
【０００２】物を集めたり塵、ゴミ、落葉等をゴミ箱やゴミ袋類に入れる行為において、塵取りと箱や袋類が別に分かれていた。
【考案が解決しようとする課題】
掃除等の効率を上げるには、１人がホウキと塵取を持ちもう１人がゴミ袋を広げるそれぞれの役目の計２人が必要である。
【課題を解決するための手段】
【０００３】本考案は、大量のゴミ等の掃除やそれに類似する行為において、１人で能率よくするのに、塵取りとゴミ袋を合体させた。
【実施例】
【０００４】図１及び図２に示す塵取り枠にポリ袋類を内側から入れて枠の外側へ出して、図１と図２の▲５▼貫通部分に入れてポリ袋類をずれ落ちないようにむらなく左右へ引っぱり固定する。【０００５】図１と図２の▲４▼は、持ち手の部位で下へ押し付ける。【０００６】図１と図２の▲１▼は、塵を取り入れ口であり、▲２▼は取り入れ易いように斜め面になっている。【０００７】ポリ袋での使用では、ポリ袋の強度によるが重量は、図１と図２の▲１▼、▲３▼と▲４▼の部分の枠で受けることになる。【０００８】ゴミ袋がゴミ類で充満状態になれば図１と図２の▲５▼の貫通部分からポリ袋類を引き出し塵取り枠と分離させることになる。
【考案の効果】
【０００９】大量のゴミ類の収集を１人で能率よくできることと塵取り枠によってポリ袋類の収集口が開いた状態になっているので作業性が良い。
屋内と屋外の掃除等、軽くて場所をとらない利点もある。
【図面の簡単な説明】
【図１】塵取り枠の全図
【図２】塵取り枠の全図
【符号の説明】
▲１▼塵取り口  ▲２▼塵取り口の傾斜面  ▲３▼枠  ▲４▼持ち手の枠  ▲５▼貫通部分
【図１】
0003154016.tif 000003
【図２】
0003154016.tif 000004
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
木材又は金属その他の材料にて、内側は空間になっている枠を製作しその枠の下部は上部と左、右の各部よりも平面的な形状で突出しその枠の下部は上部と左、右の各部よりも平面的な形状で突出しその先端が斜めに角度の付いているのを特徴としている塵取り枠の装置。
【請求項２】
枠の内側から外側へ、ゴミ類を入れるポリ・袋類の上部をめくり出し、枠の全囲へ枠を持つ上部と左、右の各部そして突出している下部先端へもおおいかぶせるように内側から外側へ出して使用することを特徴とする請求項１に記載の装置。
【請求項３】
上部と左部・右部と突出している先端の下部、それぞれに貫通部を設けその両端から狭く細長く貫通している空間を作り、その部分へポリ・袋類を入れ狭く細長い部分へ挟むように、ずれ落ちないように固定することを特徴とする請求項１に記載の装置。
【手続補正２】
【補正対象書類名】明細書
【補正対象項目名】全文
【補正方法】変更
【補正の内容】
【考案の詳細な説明】
【技術分野】
【０００１】本考案は、掃除又は物の移動と保管に関する器具。
【背景技術】
【０００２】物を集めたり塵、ゴミ、落葉等をゴミ箱やゴミをポリ・袋類に入れる行為において、塵取りとゴミ箱やポリ・袋類が別々に分かれていた。
【考案の開示】
【考案が解決しようとする課題】
【０００３】掃除等の効率を上げるには、いろいろな形状の異なるゴミやくず等を１人で収納し、集め終ったゴミを手早く捨てるのに最適である。ポリ袋の強度により、大量で重量物を収め移動と廃き可能。
【課題を解決するための手段】
【０００４】本考案は、ゴミの形状の大小などに合わせて塵取り枠も大小のものを製作し、塵取り枠とゴミを収納するポリ・袋類を分離、合体のできる器具とした。
【考案の効果】
【０００５】大量。少量のゴミ類の収集を１人で能率よくでき、塵取り枠によって、ポリ・袋類の収集口が開いた状態になっているので作業性が良い。風の強い屋外と屋内の掃除等、軽い塵取り枠と置き場所をとらない利点もある。
【考案を実施するための最良の形態】
【０００６】家庭内の掃除よりも会社や工場の屋外と屋内の作業所。
庭や公園等の落葉拾い。海岸のゴミ収集や水分を含んだゴミ等の収集に優れ適している。
【実施例】
【０００７】ポリ袋の４５ｌ用７０ｌ用と９０ｌ以上のポリ袋を取り付ける２種類の塵取り枠を製作し、運輸物流の仕合け作業等に出る大量のゴミと形状の異なるゴミの掃除と収集と廃きを１人で効率よく作業している。
【産業上の利用可能性】
【０００８】塵取り枠にポリ袋が取り付けた状態でのゴミ分別と保管
【図面の簡単な説明】
【０００９】図１及び図２に示す塵取り枠にポリ・袋類を内側から入れて枠の外側へ出して、図１と図２の▲５▼の貫通部分に入れてポリ・袋類がずれ落ちないようにむらなく左右へ引っぱり固定する。【００１０】図１と図２の▲１▼は、塵を取り入れの部分であり、▲７▼は取り入れ易いように斜めに角度をつけてある。【００１１】ゴミ袋がゴミ類で充満状態になれば図１と図２の各▲５▼の貫通部分からポリ・袋類を引き出し、塵取り枠と分離させる。
【符号の説明】
【００１２】▲１▼塵取り口であり突出している下部  ▲２▼枠の左部  ▲３▼枠の右部
▲４▼枠の上部の部分  ▲５▼ポリ・袋を挟みずれ落ちないための貫通部
▲６▼枠を持つ柄であり持ち手の部分  ▲７▼斜め角度を付けてある部分
【手続補正３】
【補正対象書類名】図面
【補正対象項目名】全図
【補正方法】変更
【補正の内容】
【図１】
0003154016.tif 000005
【図２】
0003154016.tif 000006
【手続補正書】
【提出日】平成21年7月29日(2009.7.29)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、掃除又は物の移動と保管に関する器具。
【背景技術】
【０００２】物を集めたり塵、ゴミ、落葉等をゴミ箱やポリ・袋類に入れる行為において、塵取りとゴミ箱やポリ・袋類が別々に分かれていた。
【考案の開示】
【考案が解決しようとする課題】
【０００３】掃除等の効率を上げるには、いろいろな形状の異なるゴミやくず等を１人で収納し、集め終ったゴミ等を手早く収納するのに最適。
ポリ・袋類の強度により、大量で重量物を収納し移動廃きが可能。
【課題を解決するための手段】
【０００４】本考案は、ゴミの形状の大小などに合わせて塵取り枠も大小の物を制作し、塵取り枠とゴミを収納するポリ・袋を分離。合体のできる器具とした。
【考案の効果】
【０００５】大量。小量のゴミ類の収集と廃きを１人で効率よくでき、塵取り枠によって、ポリ・袋類の収集口が開いた状態になっているので作業性も良い。風の強い屋外と屋内の掃除等に軽い塵取り枠なので置き場所を選ばない利点もある。
【考案を実施するための最良の形態】
【０００６】家庭内の掃除よりも会社や工場の屋外と屋内の作業場。
庭や公園等の落葉拾い。重量物に耐久力のある金属枠による、水分を含んだ海岸でのゴミ収集に最も適している。
【実施例】
【０００７】ポリ袋の４５ｌ用７０ｌ用と９０ｌ用それ以上の特大用ポリ袋を取り付け可能な２種類の塵取り枠（木材）を制作し、運輸物流場での仕分け作業に出る大量のゴミ（紙や細かなゴミと小さな段ボール等）の掃除と収集と廃きを１人で効率よく早く作業している。
【産業上の利用可能性】
【０００８】塵取り枠にポリ袋（無色。有色）を付けた状態での掃除と保管。
細かな部品等。
【図面の簡単な説明】
【０００９】
【図１】全体の塵取り枠を示した平面図であり長、短のある柄。
【図２】柄のない全体の塵取り枠を示した平面図である。
【００１０】図１及び図２に示す塵取り枠にポリ・袋類を内側から入れて枠の外側へ出して、図１と図２の▲５▼の貫通部分に入れてポリ・袋類がずれ落ちないようにむらなく左右へ引っぱり固定する。【００１１】図１と図２の▲１▼２は、塵を取り入れの部分であり、▲７▼は、取り入れ易いように斜めに角度をつけてある。【００１２】ゴミ袋がゴミ類で充満状態になれば図１と図２の各▲５▼の貫通部分からポリ・袋類を引き出し、塵取り枠と分離させる。
【符号の説明】
【００１３】▲１▼塵取り口であり突出している下部  ▲２▼枠の左部  ▲３▼枠の右部  ▲４▼枠の上部の部分  ▲５▼ポリ・袋を挟みずれ落ちないための貫通部  ▲６▼枠を持つ長・短の柄であり持ち手の部分  ▲７▼斜め角度を付けてある部分。
【手続補正２】
【補正対象書類名】手続補正書
【補正対象項目名】手続補正４
【補正方法】削除
【補正の内容】
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003154016.tif 000007
【図２】
0003154016.tif 000008